(57)【特許請求の範囲】
【請求項１】
電柱設置工事用Ｃ型電柱根枷において：
上方および側方にサイズが拡大された第１の隆起部と；
上方および側方にサイズが拡大された第２の隆起部と；
前記第１の隆起部および前記第２の隆起部より小さなサイズを有し、前記第１の隆起部と前記第２の隆起部との間に配置される胴体部と；
を含み、
前記胴体部は、
水平方向に貫通形成されたフック挿入孔と；
前記フック挿入孔の両側に水平方向に貫通形成されたスリット状のボルト挿入孔と；
を有し、
前記胴体部の外周にはフック挿入孔の周りに所定深さの凹状の第１摩擦溝が形成されることを特徴とする、隆起部を有する電柱設置工事用Ｃ型電柱根枷。
【請求項２】
前記胴体部は、第１の隆起部と前記胴体部との間、および第２の隆起部と前記胴体部との間にそれぞれ形成される第１の傾斜面と第２の傾斜面をさらに含むことを特徴とする、請求項１に記載の隆起部を有する電柱設置工事用Ｃ型電柱根枷。
【請求項３】
電柱設置工事用Ｃ型電柱根枷において：
上方および側方にサイズが拡大された第１の隆起部と；
上方および側方にサイズが拡大された第２の隆起部と；
前記第１の隆起部および前記第２の隆起部より小さなサイズを有し、前記第１の隆起部と前記第２の隆起部との間に配置される胴体部と；
を含み、
前記胴体部は、
水平方向に貫通形成されたフック挿入孔と；
前記フック挿入孔の両側に水平方向に貫通形成されたスリット状のボルト挿入孔と；
を有し、
前記胴体部の外周には前記ボルト挿入孔の周りに一部切欠した形状の第２摩擦溝が形成されることを特徴とする、隆起部を有する電柱設置工事用Ｃ型電柱根枷。
【請求項４】
電柱根枷の設置作業時にＵ状ボルトのナットが摩擦溝の内側壁に密着されることを防止し、ナットの締結時にナットが傾斜面に沿って外側に移動することによってＵ状ボルトの位置が前記ボルト挿入孔の内側から外側に順次移動しながら面接触部位が増大して前記Ｕ状ボルトを堅固に固定するように、前記第２摩擦溝の底面は外側にいくほど５°〜１０°傾斜して形成されることを特徴とする、請求項３に記載の隆起部を有する電柱設置工事用Ｃ型電柱根枷。
【請求項５】
電柱設置工事用Ｃ型電柱根枷において：
上方および側方にサイズが拡大された第１の隆起部と；
上方および側方にサイズが拡大された第２の隆起部と；
前記第１の隆起部および前記第２の隆起部より小さなサイズを有し、前記第１の隆起部と前記第２の隆起部との間に配置される胴体部と；
を含み、
前記胴体部は、
水平方向に貫通形成されたフック挿入孔と；
前記フック挿入孔の両側に水平方向に貫通形成されたスリット状のボルト挿入孔と；
を有し、
前記胴体部の底面に付着した導伝性金属材の接地板と；
前記接地板から引出される接地線と；
をさらに含むことを特徴とする、隆起部を有する電柱設置工事用Ｃ型電柱根枷。
【発明の詳細な説明】
【技術分野】
【０００１】
本発明は、電柱を立てて埋設する電柱設置工事時に電柱の堅固な固定のために電柱の下段部に埋め込まれるＣ型電柱根枷に関する。特に、本発明は、オーガークレーンの拡張機を利用した機械化施工により電柱根枷を設置することができるようにＣ型電柱根枷の両端に隆起部を形成し、傾斜面を介して両端に隆起部を有するＣ型胴体部は隆起部より小さなサイズを有するように構成することによって、より一層向上した土壌との摩擦増大効果を通じて電柱根枷の埋め戻し時、電柱の張力方向に土壌との密着面積を増大してより一層堅固に支持することができ、電柱根枷の軽量化が可能であり、フック挿入孔をさらに形成してより一層便利に施工および運搬できる隆起部を有する電柱工事用Ｃ型電柱根枷に関するものである。
【背景技術】
【０００２】
本発明の出願人が出願した特許文献１には、電柱設置工事用電柱根枷が開示されている。この電柱根枷は、図１に示すように、電柱根枷１００の全体的な形状がおおよそ半ドーナッツ状になっている。電柱根枷１００の内周にはＣ型の曲面になった電柱密着面１０１が形成され、外周１０２は、例えば、０．８ｍ程度の直径を有する。電柱根枷１００は既存の棒型電柱根枷とはその形態が異なるが、装着後土壌に密着する表面積はほとんど同一であり、体積は減少して既存の長方形根枷より重さを低減することができる。したがって、電柱設置工事時に電柱を埋め戻すための溝掘削時にもその掘削量が既存に比べて大きく減少し、取り扱いが容易で施工効率と作業性が向上する。また、半円状電柱根枷の外周には根枷装着時使用するＵ状ボルト挿入孔１０３と地中の土壌との凝集力を高めるための摩擦溝１０４が形成され、内周は電柱規格の曲率によって多段階の特性曲面に形成されて、電柱根枷の装着性と作用力が増加する。
【０００３】
しかしながら、上記のような半円状電柱根枷は、Ｃ型の曲面体になっていて、相対的に土壌との密着面積が不十分であるため、電柱と土壌との凝集力が不足する恐れがある。また、Ｕ状ボルトなどを組み立てて設置しようとする場合、Ｕ状ボルト挿入孔は円状の貫通孔形状になっていて、挿入孔とＵ状ボルトの寸法が互いに一致しなければならない。したがって、上記のような半円状電柱根枷は、数値管理上の難しさと施工上の摩擦干渉による不便さを引き起こす。
【０００４】
また、上述した従来の半円状電柱根枷は比較的大きい重量体（例えば、９５ｋｇ）であるため、取り扱い、運搬、および製作の際多くの困難が伴う。大きい重量体を別のクレーンを使用して電柱埋立地に設置する場合は、電柱根枷をクレーンに結束するための過程が複雑で、また結束手段を解体する過程が非常に難しいという問題点がある。
【０００５】
したがって、実際の現場では土壌とのより優れた密着抵抗力を有すると共に、Ｕ状ボルトを利用した電柱との締結がより容易に改善した電柱根枷が切実に要求されている実情である。
【０００６】
【特許文献１】韓国特許出願第２００６−１１２１００号公報
【発明の開示】
【発明が解決しようとする課題】
【０００７】
本発明は、上記問題に鑑みてなされたものであり、本発明の目的とするところは、Ｃ型電柱根枷の両端に隆起部をそれぞれ形成し、傾斜面を介して両端に隆起部を有するＣ型胴体部を隆起部より小さなサイズで構成することによって、両端の隆起部を通じて土壌との接地力が向上し、隆起部より小さなサイズの胴体部により電柱根枷の軽量化を図ることができるだけでなく、Ｃ型電柱根枷の中央部にフック挿入孔を貫通形成し、フック挿入孔の両側にはスリット状のボルト挿入孔を一定間隔をおいて離間して形成することによって、フック挿入孔を通じてクレーンを利用した電柱根枷の移動および投入作業が容易であり、ボルト挿入孔を通じてＵ状ボルトの締結が容易である隆起部を有する電柱設置工事用Ｃ型電柱根枷を提供することにある。
【課題を解決するための手段】
【０００８】
上記目的を達成するために、本発明の第１の観点によれば、電柱設置工事用Ｃ型電柱根枷において、上方および側方にサイズが拡大された第１の隆起部１１と、上方および側方にサイズが拡大された第２の隆起部１１’と、上記第１の隆起部１１および上記第２の隆起部１１’より小さなサイズを有し、上記第１の隆起部１１と上記第２の隆起部１１’との間に配置される胴体部１２とを含み、上記胴体部１２は、水平方向に貫通形成されたフック挿入孔１３と、上記フック挿入孔１３の両側に水平方向に貫通形成されたスリット状のボルト挿入孔１４、１４’とを有する、隆起部を有する電柱設置工事用Ｃ型電柱根枷が提供される。
【０００９】
また、上記胴体部１２の外周にはフック挿入孔１３の周りに所定深さの凹状の第１摩擦溝１５が形成されてもよい。
【００１０】
また、上記胴体部１２の外周には上記ボルト挿入孔１４、１４'の周りに一部切欠した形状の第２摩擦溝１６、１６’が形成されてもよい。
【００１１】
また、上記胴体部１２は、第１の隆起部１１と上記胴体部１２との間、および第２の隆起部１１’と上記胴体部１２との間にそれぞれ形成される第１の傾斜面１７と第２の傾斜面１７'をさらに含んでもよい。
【００１２】
また、上記胴体部１２の底面に付着した導伝性金属材の接地板３０と、上記接地板３０から引出される接地線３１とをさらに含んでもよい。
【００１３】
また、電柱根枷の設置作業時にＵ状ボルトのナットが摩擦溝の内側壁に密着されることを防止し、ナットの締結時にナットが傾斜面に沿って外側に移動することによってＵ状ボルトの位置が上記ボルト挿入孔１４、１４'の内側から外側に順次移動しながら面接触部位が増大して上記Ｕ状ボルトを堅固に固定するように、上記第２摩擦溝１６、１６'の底面１８は外側にいくほど５°〜１０°傾斜して形成されてもよい。
【００１４】
また、上記目的を達成するために、本発明の第２の観点によれば、電柱設置工事用Ｃ型電柱根枷において、両端に上方および側方にサイズが拡大された隆起部１１、１１'と、その隆起部１１、１１'より小さなサイズを有し、両隆起部１１、１１’の間に配置される胴体部１２とを含み、上記胴体部１２は、水平方向に貫通形成されたフック挿入孔１３と、そのフック挿入孔１３の両側に水平方向に貫通形成されたスリット状のボルト挿入孔１４、１４’とを有する隆起部を有する電柱設置工事用Ｃ型電柱根枷が提供される。
【００１５】
また、上記胴体部１２の外周にはフック挿入孔１３の周りに所定深さの凹状の第１摩擦溝１５が形成されてもよい。
【００１６】
また、上記胴体部１２の外周にはボルト挿入孔１４、１４'の周りに一部切欠した形状の第２摩擦溝１６、１６’が形成されてもよい。
【００１７】
また、上記胴体部１２は、上記隆起部１１、１１'と胴体部１２との間に形成される傾斜面１７、１７'をさらに含んでもよい。
【００１８】
また、胴体部１２の底面に付着した導伝性金属材の接地板３０と、その接地板３０から引出される接地線３１とをさらに含んでもよい。
【００１９】
また、電柱根枷の設置作業時にＵ状ボルトのナットが摩擦溝の内側壁に密着されることを防止し、ナットの締結時にナットが傾斜面に沿って外側に移動することによってＵ状ボルトの位置がボルト挿入孔１４、１４'の内側から外側に順次移動しながら面接触部位が増大して、Ｕ状ボルトを堅固に固定するように、上記第２摩擦溝１６、１６'の底面１８は外側にいくほど５°〜１０°傾斜して形成されてもよい。
【発明の効果】
【００２０】
本発明によれば、隆起部を通じて土壌との接地力が向上し、より縮小した胴体部を通じて電柱根枷の軽量化ができ、フック挿入孔によりクレーンを利用した電柱根枷の移動および設置作業が容易であり、ボルト挿入孔によりＵ状ボルトを容易に締結して施工上の便利さを提供することができる。
【発明を実施するための最良の形態】
【００２１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２２】
図１は従来技術に係る通常的なＣ型電柱根枷を示す斜視図であり、図２は本発明の実施形態に係るＣ型電柱根枷を示す正面斜視図である。また、図３は本発明の実施形態に係るＣ型電柱根枷を示す背面斜視図であり、図４は本発明の実施形態に係るＣ型電柱根枷の平面断面図である。
【００２３】
本発明の実施形態に係るＣ型電柱根枷１０は、両端に上方および側方にサイズが拡大された隆起部１１、１１'（第１の隆起部／第２の隆起部）が形成され、傾斜面を介して両端の隆起部１１、１１'を有する電柱根枷１０の胴体部１２は隆起部１１、１１'より小さなサイズになっている。電柱根枷１０の中央にはフック挿入孔１３が水平方向に貫通形成され、フック挿入孔１３の両側にはスリット状のボルト挿入孔１４、１４’がそれぞれ形成されている。胴体部１２のフック挿入孔１３の周りには所定深さの凹状になった第１摩擦溝１５が形成され、胴体部１２のボルト挿入孔１４、１４'の周りには一部切欠した第２摩擦溝１６、１６’がそれぞれ形成されている。
【００２４】
また、電柱根枷１０の隆起部１１、１１'と両端の隆起部１１、１１'との間には傾斜面１７、１７'（第１の傾斜面／第２の傾斜面）が設けられる。すなわち、胴体部１２は、傾斜面１７、１７'を介して両端の隆起部１１、１１'に連結されて自然な形状を有すると共に、角部に加わる外部の衝撃に対して優れた耐久性を有する。
【００２５】
本発明の他の実施形態に係る電柱根枷１０は底面に付着した接地板３０と、一端が接地板３０に連結され、他端が胴体部１２を通じて引出される接地線３１とをさらに含んで、接地線３１を通じて電柱の接地ラインに連結することができる。
【００２６】
図６に示すように、電柱根枷１０はＵ状ボルト２０により電柱２１に装着する。
【００２７】
このような構成の本発明に係る隆起部を有する電柱設置工事用Ｃ型電柱根枷の作動について添付図面を参照してより詳細に説明する。
【００２８】
一般的に、オーガークレーンおよびバックホーなどの装備や人力を利用して、Ｃ型電柱根枷を埋設するための最小限の掘削作業を完了した後、Ｕ状ボルト２０により電柱根枷１０を電柱２１に装着する。
【００２９】
このとき、本発明の実施形態に係るＣ型電柱根枷１０の両端には、サイズが拡大された形状の隆起部１１、１１'が形成されている。隆起部１１、１１’は埋め戻しによる土壌との干渉や摩擦面積を大きく広げる作用をするので、結局土壌との結束力が増大して、電柱２１をより一層安定的で堅固に維持することができる。
【００３０】
すなわち、Ｃ型根枷だけでも土壌との適切な結束力を得ることができるが、土壌の性質や地質の状態によって電柱が傾斜したり傾きが発生する恐れがある。このような場合には本発明の実施形態に係る電柱根枷１０に形成した隆起部１１、１１'を通じて土壌との結束力を一層向上させることによって、電柱２１の傾斜および傾きを防止する。
【００３１】
また、本発明の実施形態に係る電柱根枷１０はその胴体部１２にボルト挿入孔１４、１４’を備える。このボルト挿入孔１４、１４'は水平方向に貫通されるスリット状を有することによって、電柱根枷１０を電柱２１に装着するためのＵ状ボルト２０の組立時、Ｕ状ボルト２０をより容易で、速やかに挿入して固定できるという長所がある。
【００３２】
上記ような本発明に係る電柱根枷１０の胴体部１２は、隆起部１１、１１'よりサイズが減少した形状を有する。このように胴体部１２のサイズが縮小されているので、電柱根枷１０の全体重量が大きく減少し、取り扱いや設置が容易である。また、電柱根枷１０の隆起部１１、１１'と胴体部１２とは、傾斜面１７、１７’を介して一体に連結されていて、電柱根枷１０の全体重量を減少させる一方、土壌との増大した密着面積を維持できるので、電柱２１をより安定的に支持する。
【００３３】
特に、胴体部１２の中央にはフック挿入孔１３が水平方向に貫通形成されている。したがって、図５に示すように、クレーン１１０を利用した電柱根枷１０の移動および設置作業時、クレーン１１０に設けられた電柱根枷運搬および設置用フック１１１をフック挿入孔１３内に挿入することによって、電柱根枷１０をより便利に取り扱うことができる。
【００３４】
また、胴体部１２の外周にはフック挿入孔１３の周りに形成した第１摩擦溝１５とボルト挿入孔１４、１４'の周りに形成した第２摩擦溝１６、１６’とを備える。したがって、第１摩擦溝１５と第２摩擦溝１６、１６’とを通じて電柱根枷１０と土壌との摩擦抵抗力がより向上する。使用時において第２摩擦溝１６、１６'は、Ｕ状ボルト２０の螺子部に締結される固定ナット（図示せず）が位置する空間としての役目も果たす。
【００３５】
このとき、第２摩擦溝１６、１６'の底面１８は外側に行くほど５°〜１０°の角度で傾斜して形成することによって、電柱根枷１０の設置作業時にＵ状ボルトのナットが摩擦溝の内側壁に密着することを阻止する。したがって、ナットを締めるための工具をより容易に使用できる。また、ナットの締結時にナットが傾斜面に沿って外側に移動することによって、Ｕ状ボルトの位置がボルト挿入孔１４、１４'の内側から外側に順次移動しながら面接触部位が増大するので、Ｕ状ボルトを堅固に、安定的に固定することができる。
【００３６】
したがって、図６に示すように、電柱２１の下部に装着して土壌内に埋設した電柱根枷１０は土壌との優れた結合力で容易に設置することができる。
【００３７】
一方、本発明の他の実施形態に係る電柱根枷は、図７に示すように、電柱根枷１０の底面全体に金属材で作られた接地板３０を付着し、接地板３０には接地線３１を連結する。接地線３１は電柱根枷１０の胴体部１２を通じて外部に露出した後、電柱の接地ラインに容易に連結して使用することができる。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明によれば、隆起部を通じて土壌との接地力が向上し、より縮小した胴体部を通じて電柱根枷の軽量化ができ、フック挿入孔によりクレーンを利用した電柱根枷の移動および設置作業が容易であり、ボルト挿入孔によりＵ状ボルトを容易に締結して施工上の便利さを提供する。したがって、本発明の産業利用性はきわめて高いものといえる。
【図面の簡単な説明】
【００４０】
【図１】従来技術に係るＣ型電柱根枷を示す斜視図である。
【図２】本発明の実施形態に係るＣ型電柱根枷を示す正面斜視図である。
【図３】本発明の実施形態に係るＣ型電柱根枷を示す背面斜視図である。
【図４】本発明の実施形態に係るＣ型電柱根枷の平面断面図である。
【図５】本発明の実施形態に係るＣ型電柱根枷を埋設地に投入する工程を示す概略図である。
【図６】本発明の実施形態に係るＣ型電柱根枷の施工過程を示す概略図である。
【図７】本発明の他の実施形態に係るＣ型電柱根枷を示す斜視図である。
【符号の説明】
【００４１】
１０    電柱根枷
１１、１１'    隆起部
１２    胴体部
１３    フック挿入孔
１４、１４'    ボルト挿入孔
１５    第１摩擦溝
１６、１６'    第２摩擦溝
１７、１７'    傾斜面
１８    底面
２０    Ｕ状ボルト
２１    電柱
３０    接地板
３１    接地線
【図１】
0004795372.tif 000002
【図２】
0004795372.tif 000003
【図３】
0004795372.tif 000004
【図４】
0004795372.tif 000005
【図５】
0004795372.tif 000006
【図６】
0004795372.tif 000007
【図７】
0004795372.tif 000008